(57)【要約】【課題】非常に簡易に折りたため、側面を開放することができる折りたたみ式通い箱を提供すること。【解決手段】本発明の折りたたみ式通い箱は、上面部１０と、底面部２０と、上面部１０および底面部２０の各辺に対応した前後および左右の側壁部３０，４０，５０，５０と、上面部１０を補強する上面補強板１１と、底面部２０を補強する底面補強板２１とを備え、上面補強板１１は、後の側壁部４０の上辺に回動自在に取り付けられ、該底面補強板２１は、後の側壁部４０の下辺に回動自在に取り付けられ、左右の側壁部５０，５０は内側に折り曲げ可能に構成され、前の側壁部３０の全部または一部が開閉可能に構成されている。【選択図】図１
2018020785.tif 000002
【特許請求の範囲】
【請求項１】
正方形ないし長方形の上面部と、正方形ないし長方形の底面部と、該上面部および該底面部の各辺に対応した前後および左右の側壁部と、該上面部を補強する上面補強板と、該底面部を補強する底面補強板とを備え、
該上面補強板は、後の側壁部の上辺に回動自在に取り付けられ、
該底面補強板は、後の側壁部の下辺に回動自在に取り付けられ、
該左右の側壁部は内側に折り曲げ可能に構成され、
該前の側壁部の全部または一部が開閉可能に構成されている、
折りたたみ式通い箱。
【請求項２】
前記前後および左右の側壁部が上下方向に長い長方形である、請求項１に記載の折りたたみ式通い箱。
【請求項３】
前記前の側壁部の全部または一部がファスナにより開閉可能に構成されている、請求項１または２に記載の折りたたみ式通い箱。
【請求項４】
前記上面部と前記上面補強板とを連結する連結部材、および、前記底面部と前記底面補強板とを連結する連結部材、の少なくとも１つを備える、請求項１〜３のいずれか１項に記載の折りたたみ式通い箱。
【請求項５】
折りたたんだ状態の前記折りたたみ式通い箱を巻回する巻回手段が設けられている、請求項１〜４のいずれか１項に記載の折りたたみ式通い箱。
【請求項６】
前記折りたたみ式通い箱の内部にハンガー掛けが水平方向に配置されるように該ハンガー掛けを取付け可能に構成されている、請求項１〜５のいずれか１項に記載の折りたたみ式通い箱。
【請求項７】
前記折りたたみ式通い箱が折りたたまれた状態でハンガー掛けを収納可能に構成されている、請求項１〜６のいずれか１項に記載の折りたたみ式通い箱。
【請求項８】
前記左右の側壁部、前記後の側壁部、前記上面補強板、および前記底面補強板がシート材に板材を内包して形成されている、請求項１〜７のいずれか１項に記載の折りたたみ式通い箱。
【発明の詳細な説明】
【技術分野】
【０００１】
本発明は、製品等の輸送に用いられる箱であって、製品等を目的地に輸送した後、その空箱は輸送元に返送され、繰り返し使用される通い箱に関する。
【背景技術】
【０００２】
製品等の輸送に用いられる箱からの内容物の取り出しは、通常、上部の蓋を開放することにより行う。この点、上部の蓋を開放しなくても、一側面のみを開放して中身を取り出すことができる箱が望まれている。側面から中身を取り出すためには、側面に切れ目が入った紙段ボール箱を使用することが通常である。しかし、紙段ボール箱の場合、側面を切り開く必要があって煩雑であり、使い捨てであるので環境に悪い影響を与える。
【０００３】
そこで、前後左右の側部のつなぎ目全てをスライドファスナにより開閉可能とすることにより、一側面のみを開放して、側部からも中身を取り出すようなこともできるようにした通い箱が提案されている（特許文献１）。しかし、上記通い箱は容易に折りたたむことができないという問題がある。
【先行技術文献】
【特許文献】
【０００４】
【特許文献１】特開２００９−２９８４３３号公報
【発明の概要】
【発明が解決しようとする課題】
【０００５】
本発明は上記従来の課題を解決するためになされたものであり、その目的とするところは、非常に簡易に折りたため、側面を開放することができる折りたたみ式通い箱を提供することにある。
【課題を解決するための手段】
【０００６】
本発明の折りたたみ式通い箱は、正方形ないし長方形の上面部と、正方形ないし長方形の底面部と、該上面部および該底面部の各辺に対応した前後および左右の側壁部と、該上面部を補強する上面補強板と、該底面部を補強する底面補強板とを備え、該上面補強板は、後の側壁部の上辺に回動自在に取り付けられ、該底面補強板は、後の側壁部の下辺に回動自在に取り付けられ、該左右の側壁部は内側に折り曲げ可能に構成され、該前の側壁部の全部または一部が開閉可能に構成されている。
１つの実施形態においては、上記前後および左右の側壁部が上下方向に長い長方形である。
１つの実施形態においては、上記前の側壁部の全部または一部がファスナにより開閉可能に構成されている。
１つの実施形態においては、本発明の折りたたみ式通い箱は、上記上面部と上記上面補強板とを連結する連結部材、および、上記底面部と上記底面補強板とを連結する連結部材、の少なくとも１つを備える。
１つの実施形態においては、本発明の折りたたみ式通い箱には、折りたたんだ状態の上記折りたたみ式通い箱を巻回する巻回手段が設けられている。
１つの実施形態においては、本発明の折りたたみ式通い箱は、上記折りたたみ式通い箱の内部にハンガー掛けが水平方向に配置されるように該ハンガー掛けを取付け可能に構成されている。
１つの実施形態においては、本発明の折りたたみ式通い箱は、上記折りたたみ式通い箱が折りたたまれた状態でハンガー掛けを収納可能に構成されている。
１つの実施形態においては、上記左右の側壁部、上記後の側壁部、上記上面補強板、および上記底面補強板がシート材に板材を内包して形成されている。
【発明の効果】
【０００７】
本発明の折りたたみ式通い箱は、非常に簡易に折りたため、側面を開放することができる。
【図面の簡単な説明】
【０００８】
【図１】本発明の１つの実施形態による折りたたみ式通い箱の１つの状態を説明する概略斜視図である。
【図２】図１におけるＡ−Ａ断面図である。
【図３】本発明の１つの実施形態による折りたたみ式通い箱の別の状態を説明する概略斜視図である。
【図４】本発明の１つの実施形態による折りたたみ式通い箱のさらに別の状態を説明する概略斜視図である。
【図５】本発明の１つの実施形態による折りたたみ式通い箱のさらに別の状態を説明する概略斜視図である。
【図６】本発明の１つの実施形態による折りたたみ式通い箱のさらに別の状態を説明する概略斜視図である。
【図７】本発明の１つの実施形態による折りたたみ式通い箱のさらに別の状態を説明する概略斜視図である。
【図８】本発明の別の実施形態による折りたたみ式通い箱の縦断面図である。
【発明を実施するための形態】
【０００９】
以下、図面を参照して本発明の実施形態について説明するが、本発明はこれらの実施形態には限定されない。図面における上下左右の位置関係は、特に断らない限り、図面に示す位置関係に基づくものとする。図面に示す寸法比率は、図示の比率に限られるものではない。
【００１０】
Ａ．折りたたみ式通い箱の全体構成
図１は、本発明の１つの実施形態による折りたたみ式通い箱の閉じた状態を説明する概略斜視図である。折りたたみ式通い箱１００は、上面部１０と底面部２０とを備える。上面部１０および底面部２０は、それぞれ正方形または長方形とされる。上面部１０は、代表的には、底面部２０と略同一形状である。折りたたみ式通い箱１００は、さらに、上面部１０および底面部２０の各辺に対応した前後および左右の側壁部とを備える。前後および左右の側壁部は、前の側壁部３０、後の側壁部４０、および左右の側壁部５０，５０とからなる。図示例では、前後および左右の側壁部は上下方向に長い長方形である。折りたたみ式通い箱１００は、上面部１０を補強する上面補強板１１をさらに備える。折りたたみ式通い箱１００は、底面部２０を補強する底面補強板２１をさらに備える。折りたたみ式通い箱１００は、代表的には、上面部１０が上面補強板１１により補強され、かつ、底面部２０が底面補強板２１により補強された状態で製品等を収納する。
【００１１】
上面補強板１１は、後の側壁部４０の上辺に回動自在に取り付けられている。底面補強板２１は、後の側壁部４０の下辺に回動自在に取り付けられている。左右の側壁部５０，５０は内側に折り曲げ可能に構成されている。前の側壁部３０の全部または一部は開閉可能に構成されている。上記上面補強板、上記底面補強板、上記左右の側壁部、および上記前の側壁部を備えることにより、非常に簡易に折りたため、側面を開放することができる折りたたみ式通い箱を実現することができる。
【００１２】
Ｂ．前の側壁部
前の側壁部の全部または一部は、上述のように、開閉可能に構成されている。上記構成としては、任意の適切な構成を採用し得る。上記構成としては、例えば、前の側壁部にファスナが設けられている構成が挙げられる。前の側壁部にファスナを設けることにより、優れた密閉性を実現し、かつ、ほこりや水等の箱本体内への浸入を防止することができる。
【００１３】
上記ファスナとしては、任意の適切なファスナを採用し得る。上記ファスナとしては、例えば、スライドファスナ、面ファスナ、およびスナップボタンが挙げられる。図示例では、上記ファスナはスライドファスナである。
【００１４】
上記ファスナは、前の側壁部３０の任意の適切な部位に設けられ得る。上記ファスナは、好ましくは、前の側壁部の辺近傍に設けられる。図示例では、上記ファスナは、前の側壁部３０の右辺下端近傍から、右辺上端、上辺全域、および左辺上端を経て、左辺下端近傍まで前の側壁部３０の辺上を延びるように設けられている。上記ファスナの、前の側壁部３０の右辺、上辺、および左辺上の部分を、それぞれ３１ａ、３１ｂ、および３１ｃとして図示する。ファスナ３１ａ、３１ｂ、および３１ｃにそれぞれ対応して、左の側壁部５０、上面部１０、および右の側壁部５０の前辺に設けられているファスナを、それぞれファスナ３１ａ’、３１ｂ’、および３１ｃ’として図示する。ファスナ３１ａ〜ｃ，３１ａ’〜ｃ’は、スライダー３２によって開閉可能に構成されている。
【００１５】
Ｃ．左右の側壁部
左右の側壁部は、上述のように、内側に折り曲げ可能に構成されている。上記構成としては、任意の適切な構成を採用し得る。図２は、図１におけるＡ−Ａ断面図である。図示例では、前の側壁部３０、後の側壁部４０、および左の側壁部５０は、シート材に各側壁部を構成する板材を内包し、前後の側壁部と左の側壁部との間でシート材が縫合されている。図１および図２に示す例では、左の側壁部５０は、２枚の分割板５１ａ，５１ａが所定の間隔をあけて横に並んだ状態でシート材に内包され、２枚の分割板５１ａ，５１ａの間でシート材が縫合されている。右の側壁部５０も同様の構成を有している（図示せず）。上記構成を有することにより、左右の側壁部５０，５０を上記２枚の分割板５１ａ，５１ａの間の分割線５１ｂに沿って容易に折り曲げることができるので、折りたたみ式通い箱をさらに簡易に折りたたむことができる。
【００１６】
図１に示す例では、左右の側壁部５０，５０の外面には、それぞれ、帯状の持ち手５２が設けられている（右の側壁部５０の持ち手５２は図示せず）。持ち手５２は、分割線５１ｂを跨ぐように、その両端がシート材に取付けられている。
【００１７】
Ｄ．上面部および底面部
上面部１０および底面部２０は、代表的には、折りたたみ式通い箱の折りたたみ時に変形自在に構成されている。上面部および底面部が折りたたみ時に変形自在に構成されていることにより、さらに容易に左右の側壁部を内側に折り曲げることができるので、折りたたみ式通い箱をさらに簡易に折りたたむことができる。
【００１８】
１つの実施形態においては、上面部１０および／または底面部２０の周縁は縁取りテープで縁取られる（図示せず）。この縁取りテープを介して、上面部１０および／または底面部２０と側壁部とが縫合され得る。なお、側壁部の上辺および／または下辺も縁取りテープで縁取られ得る。
【００１９】
Ｅ．底面補強板および上面補強板
底面補強板２１は、上述のように、後の側壁部４０の下辺に回動自在に取り付けられている。図１に示す例では、底面補強板２１の左辺、前辺、および右辺は、それぞれ、底面部２０の左辺、前辺、および右辺の近傍において、これらの辺に沿って延びるように設けられている。図示例では、底面補強板２１の上面には、取っ手２３が設けられている。取っ手が設けられていることにより、底面補強板２１をさらに容易に回動させることができる。図示例では、底面補強板２１の下面にファスナ２２が設けられており、底面部２０の上面にファスナ２２に対応するファスナ（図４の符号２２’、図１では図示せず）が設けられている。ファスナ２２およびファスナ２２’は面ファスナである。これらのファスナが設けられていることにより、底面部がさらに安定して補強されるので、折りたたみ式通い箱が、外部からの衝撃にさらに強くなり、かつ積載時の安定性がさらに向上する。１つの実施形態においては、底面補強板２１は、そのシート材の端部が後の側壁部４０を構成するシート材および／または底面部２０のシート材と縫合されている。
【００２０】
上面補強板１１は、上述のように、後の側壁部４０の上辺に回動自在に取り付けられている。図示例では、上面補強板１１の左辺、前辺、および右辺は、それぞれ、上面部１０の左辺、前辺、および右辺の近傍に、これらの辺に沿って延びている。１つの実施形態においては、上面補強板１１には、底面補強板２１の取っ手２３およびファスナ２２にそれぞれ対応する取っ手（図示せず）およびファスナ１２が設けられている。ファスナ１２に対応する上面部１０のファスナ（図４の符号１２’、図１では図示せず）は、上面部１０の下面に設けられている。１つの実施形態においては、上面補強板１１は、そのシート材の端部が後の側壁部４０を構成するシート材および／または上面部１０のシート材と縫合されている。
【００２１】
Ｆ．ハンガー掛け取付け部
１つの実施形態においては、折りたたみ式通い箱１００は、折りたたみ式通い箱１００の内部にハンガー掛け６０が水平方向に配置されるようにハンガー掛け６０を取付け可能に構成されている。上記構成としては、任意の適切な構成を採用し得る。上記構成としては、例えば、折りたたみ式通い箱１００の内面にハンガー掛け取付け部５３が設けられている構成が挙げられる。ハンガー掛け取付け部としては、任意の適切な部材を採用し得る。ハンガー掛け取付け部としては、例えば留め具および吊り具が挙げられる。図示例では、ハンガー掛け取付け部５３は留め具である。ハンガー掛け取付け部は、好ましくは、左右の側壁部の内面の上部近傍、または上面補強板１１の下面に設けられる。図示例では、ハンガー掛け取付け部５３は、左右の側壁部５０，５０の内面の上部近傍に設けられている。
【００２２】
Ｇ．ハンガー掛け収納部
１つの実施形態においては、折りたたみ式通い箱１００は、折りたたみ式通い箱１００が折りたたまれた状態でハンガー掛け６０を収納可能に構成されている。上記構成としては、任意の適切な構成を採用し得る。上記構成としては、例えば、折りたたみ式通い箱１００にハンガー掛け収納部３３が取付けられている構成が挙げられる。ハンガー掛け収納部としては、任意の適切な部材を採用し得る。図示例では、ハンガー掛け収納部３３は留め具である。ハンガー掛け収納部３３は、好ましくは、前の側壁部３０の外面もしくは内面、または後の側壁部４０の外面に取付けられる。図示例では、ハンガー掛け収納部３３は、前の側壁部３０の内面に取付けられている。
【００２３】
Ｈ．巻回手段
１つの実施形態においては、折りたたみ式通い箱１００には、折りたたんだ状態の折りたたみ式通い箱１００を巻回する巻回手段３４が設けられる。上記巻回手段は、任意の適切な構成を有し得る。上記巻回手段は、好ましくは帯状またはひも状である。１つの実施形態においては、上記巻回手段は弾性体である。１つの実施形態においては、上記巻回手段はファスナを備える。図示例では、巻回手段３４はゴムバンドである。巻回手段は、好ましくは、前の側壁部３０の外面もしくは内面、または後の側壁部４０の外面に取付けられる。図示例では、巻回手段３４は、前の側壁部３０の内面の上部に取付けられている。巻回手段が設けられていることにより、折りたたみ式通い箱をさらにコンパクトに折りたたむことができ、かつ、折りたたみ式通い箱が折りたたまれた状態をより安定に維持することができる。
【００２４】
Ｉ．連結部材
図８は、本発明の別の実施形態による折りたたみ式通い箱の縦断面図である。図８に示すように、折りたたみ式通い箱１００’は、底面部２０と底面補強板２１とを連結する連結部材２４を備える。連結部材２４は、好ましくは、底面補強板２１の下面と底面部２０の上面中央部とを連結する。連結部材２４を備えることにより、底面補強板２１を上方に回動させると同時に、底面部２０を引き上げ、左右の側壁部５０，５０を内側に折り曲げることができる。その結果、折りたたみ式通い箱をさらに簡易に折りたたむことができる。さらに、折りたたみ式通い箱を折りたたんだ状態では、底面部２０は底面補強板２１に引っ張られて前後の側壁部から外方に延出することがないので、折りたたみ式通い箱をより確実にコンパクトに折りたたむことができる。１つの実施形態においては、連結部材２４は、ポリプロピレン製等のベルトやゴムバンドで構成されている。連結部材２４は、例えば、面ファスナを用いて、取り換え可能に設けられていてもよい。連結部材が取り換え可能であることにより、連結部材が劣化した場合（例えば、ゴムが伸びきった場合）でも、新しい連結部材に取り換えることができる。
【００２５】
図８に示すように、折りたたみ式通い箱１００’には、連結部材２４に対応して、上面部１０と上面補強板１１とを連結する連結部材１４が設けられている。連結部材１４の構成は、連結部材２４の構成に対応する。
【００２６】
Ｊ．その他
１つの実施形態においては、側壁部の外面および／または内面にポケットが設けられ得る（図示せず）。当該ポケットは、伝票を入れたりシールを貼着したりして使用する他、トレーサビリティを目的として使用することができる。さらに、当該ポケットは、納品書などを収容することを目的として使用することができる。さらに、当該ポケットは、例えば食品などを輸送する場合には、蓄冷剤や保冷剤などを収容することを目的として使用することができる。
【００２７】
１つの実施形態においては、底面部の下面の全部または一部に補強手段を設けてもよい。上記構成を有することにより、重量物を輸送する場合等に折りたたみ式通い箱を引きずって持ち運んでも底面部が破れたりすることを確実に防止することができる。
【００２８】
Ｋ．各部材の材料
折りたたみ式通い箱の各部材の材料としては、任意の適切な材料を採用し得る。
【００２９】
１つの実施形態においては、左右の側壁部５０，５０、後の側壁部４０、上面補強板１１、および底面補強板２１は、シート材に板材を内包して形成される。上記構成を有することにより、折りたたみ式通い箱が、外部からの衝撃にさらに強くなり、かつ積載時の安定性がさらに向上する。さらに、折りたたみ式通い箱の外観が向上し、板材が汚れたり溶けたりすることがなく良好にリサイクル（マテリアルまたはケミカル）することができる。さらに、板材に傷（例えば、縫い目）をつけることがないので、容易にリユースすることができる。さらに、シート材に容易に染色や印刷を行うことができる。
【００３０】
前の側壁部３０は、例えば、シート材で形成されていてもよいし、シート材に板材を内包して形成されていてもよい。前の側壁部３０は、好ましくは、シート材で形成される。前の側壁部３０がシート材で形成されていることにより、折りたたみ式通い箱の側面をさらに容易に開放することができる。
【００３１】
１つの実施形態においては、上面部１０および底面部２０はシート材で形成される。
【００３２】
シート材としては、任意の適切なシート材が用いられる。１つの実施形態においては、シート材として、織布および／または不織布が用いられる。織布および／または不織布を用いることにより、助燃材などへのマテリアルリサイクルができる。織布または不織布を構成する繊維としては、例えば、ポリエステル繊維が挙げられる。さらに、シート材としては、レジャーシートに用いられるようなポリエチレン、ポリプロピレン等のポリオレフィンシート、農業用シートに用いられるような塩化ビニルシート、ナイロンシート、ポリウレタンシート、生分解性樹脂シート等も好ましく用いられる。これらの繊維を用いることにより、防水性が向上し、油汚れなどを拭き取ることができる。シート材の表面には撥水処理や帯電防止処理が施されていてもよい。
【００３３】
板材としては、任意の適切な板材が用いられる。板材としては、好ましくは、プラスチック板が用いられ、特に好ましくは、プラスチック段ボール板が用いられる。板材としてプラスチック板を用いることにより、折りたたみ式通い箱を軽量化することができる。中身の重量が重い場合は、合板や平板等が好ましく用いられる。折りたたみ式通い箱を構成する材料としては、難燃性、不燃性、防水性、防湿性、断熱性（保冷）等の機能を備え得る。
【００３４】
Ｌ．折りたたみ式通い箱の使用方法
折りたたみ式通い箱１００を用いて製品等を収納および輸送する方法を説明する。図３は、折りたたみ式通い箱１００の開いた状態を説明する概略斜視図である。製品等の輸送に際しては、代表的には、図３に示す状態の折りたたみ式通い箱１００内部に製品等を収納する。例えば、ハンガー掛け６０をハンガー掛け収納部３３から取り外し、ハンガー掛け取付け部５３に取付け、ハンガー掛け６０に製品等が掛かったハンガーを掛けることにより、製品等を収納する。そして、スライダー３２を動かしてファスナ３１ａと３１ａ’、３１ｂと３１ｂ’、および３１ｃと３１ｃ’を閉じることにより、折りたたみ式通い箱１００を閉じた状態（すなわち、図１に示す状態）にする。そして、製品等を収納した折りたたみ式通い箱１００を持ち手５２，５２により持ち上げる等して搬送する。
【００３５】
次に、折りたたみ式通い箱１００を折りたたむ方法を説明する。図１の状態の折りたたみ式通い箱１００において、スライダー３２を動かしてファスナ３１ａと３１ａ’、３１ｂと３１ｂ’、および３１ｃと３１ｃ’を開くことにより、折りたたみ式通い箱１００を開いた状態にする。さらに、折りたたみ式通い箱１００の内部に水平方向に配置されているハンガー掛け６０をハンガー掛け取付け部５３から外し、ハンガー掛け収納部３３に収納する。その結果、折りたたみ式通い箱１００は図３に示す状態になる。
【００３６】
次に、図４に示すように、底面補強板２１の下面のファスナ２２を、底面部２０の上面のファスナ２２’からはがし、底面補強板２１を後の側壁部４０の内面に向かって回動させる。この際、取っ手２３を持って底面補強板２１を回動させることができる。同様に、上面補強板１１の上面のファスナ１２を、上面部１０の下面のファスナ１２’からはがし、上面補強板１１を後の側壁部４０の内面に向かって回動させる。この際、上面補強板１１の下面の取っ手（図示せず）を持って上面補強板１１を回動させることができる。
【００３７】
次に、図５に示すように、底面補強板２１の上面と後の側壁部４０の内面とが接触し、上面補強板１１の下面と後の側壁部４０の内面とが接触した状態にする。図示しないが、底面補強板２１の上面に面ファスナが設けられ、後の側壁部４０の内面に該面ファスナに対応する面ファスナが設けられていてもよい。上面補強板１１の下面に面ファスナが設けられ、後の側壁部４０の内面に該面ファスナに対応する面ファスナが設けられていてもよい。上記構成を有することにより、底面補強板の上面および／または上面補強板の下面が後の側壁部の内面と接触した状態をより安定に維持することができるので、折りたたみ式通い箱をさらに簡易に折りたたむことができる。
【００３８】
次に、図６に示すように、左右の側壁部５０，５０を、分割板５１ａ，５１ａどうしが重なるようにして分割線５１ｂに沿って内側に折り曲げる。
【００３９】
次に、図７に示すように、折りたたんだ状態の折りたたみ式通い箱１００において、ファスナ３１ａと３１ａ’、３１ｂと３１ｂ’、および３１ｃと３１ｃ’とがそれぞれ重なるように前の側壁部３０を持ちあげる。さらに、巻回手段３４で、後の側壁部４０および左右の側壁部５０，５０を巻回する。
【００４０】
以上のように、非常に簡易な作業で折りたたみ式通い箱１００を折りたたむことができ、側面を開放することができる。
【産業上の利用可能性】
【００４１】
本発明の折りたたみ式通い箱は、製品等の輸送、特に衣類の輸送に好適に用いられる。
【符号の説明】
【００４２】
１０      上面部
１１      上面補強板
２０      底面部
２１      底面補強板
３０      前の側壁部
３１ａ〜ｃ、３１ａ’〜ｃ’      ファスナ
３２      スライダー
３３      ハンガー掛け収納部
４０      後の側壁部
５０      左右の側壁部
５１ａ    分割板
５１ｂ    分割線
５３      ハンガー掛け取付け部
６０      ハンガー掛け
１００、１００’    折りたたみ式通い箱
【図１】
2018020785.tif 000003
【図２】
2018020785.tif 000004
【図３】
2018020785.tif 000005
【図４】
2018020785.tif 000006
【図５】
2018020785.tif 000007
【図６】
2018020785.tif 000008
【図７】
2018020785.tif 000009
【図８】
2018020785.tif 000010